(57)【要約】空いているチューナを有効に活用し、選局時間を短縮できるデジタル放送受信装置が開示されていて、このデジタル放送受信装置は、デジタル放送波を受信する複数のチューナと、チューナで復調されたＴＳを少なくとも２本以上処理できるＴＳ処理部と、ＴＳ処理部からサービス情報を抽出するサービス情報取得部と、データ・コンテンツをキャッシュするデータ・コンテンツ取得部と、複数の映像音声を同時または切り替えて処理することができる映像音声出力制御部と、ユーザが次に選局するであろうチャンネルを予測し、選択されていないチューナを用いてあらかじめ予測選局処理をしておく選局制御部と、を備える。【特許請求の範囲】
【請求項１】
デジタル放送波を受信する複数のチューナと、
前記チューナで復調されたトランスポート・ストリームを少なくとも２本以上処理できるトランスポート・ストリーム処理部と、
前記トランスポート・ストリーム処理部からサービス情報を抽出するサービス情報取得部と、
データ・コンテンツをキャッシュするデータ・コンテンツ取得部と、
複数の映像音声を同時または切り替えて処理することができる映像音声出力制御部と、
ユーザからの選局指示に基づき前記複数のチューナの一つを選択して選局処理を行う選局制御部と、
を備えるデジタル放送受信装置であって、
前記選局制御部は、前記ユーザが次に選局するであろうチャンネルをあらかじめ予測し、前記複数のチューナのうち選択されていないチューナを用いて選局処理を行う予測選局処理をしておくデジタル放送受信装置。
【請求項２】
前記デジタル放送波の受信に関する統計データを検出する統計データ検出部をさらに備え、前記選局制御部は、前記統計データに基づいて前記予測選局処理を行う請求項１に記載のデジタル放送受信装置。
【請求項３】
前記ユーザの視聴パターンを検出する視聴パターン検出部をさらに備え、前記選局制御部は、前記ユーザの視聴パターンに基づいて前記予測選局処理を行う請求項１に記載のデジタル放送受信装置。
【請求項４】
前記ユーザが予測選局する動作の種別を設定する予測選局動作設定部と、前記予測選局動作設定部で設定された予測選局動作の種別において予測された選局動作を検出する予測選局動作設定検出部と、をさらに備え、前記選局制御部は、前記予測選局動作設定検出部が検出した前記予測された選局動作に基づいて前記予測選局処理を行う請求項１に記載のデジタル放送受信装置。
【請求項５】
選局用のメニューを表示する選局メニュー表示部と、前記選局用のメニューを移動するカーソルの位置を、検出するカーソル位置検出部と、をさらに備え、前記選局制御部は、前記カーソルの位置に基づいて前記予測選局処理を行う請求項１に記載のデジタル放送受信装置。
【発明の詳細な説明】
【技術分野】
【０００１】  本発明は、複数のチューナを有するデジタル放送受信装置の選局方法に関する。
【背景技術】
【０００２】  複数のチューナが搭載された放送受信装置において、選択されていないチューナを有効利用した選局方法に関する従来の構成を説明する。同期信号の有無を、空いているチューナを用いて調べて、チャンネル情報と共に記憶することにより選局時間を短縮する従来の構成が、例えば、特開２００４−７３１８号に開示されている。また、選局時に、空いているチューナで同期をあわせてから、チャンネルを切り替えることにより、同期の乱れを防ぐ従来の構成は、例えば、特開平７−２８３９６５号に開示されている。【０００３】  一方、２画面表示やピクチャー・イン・ピクチャー方式、あるいは、録画機器内蔵型の裏録画用として、複数のチューナが搭載された放送受信装置が、多く存在してきている。しかし、それらは、通常の選局方法による視聴の時間が大半を占め、複数のチューナの使用用途は、限定されているのが現状である。【０００４】  この様な中、昨今、デジタル放送が主流になりつつある。デジタル放送受信装置における選局処理は、アナログ放送受信とは異なり、多岐にわたり、処理時間を要し得る。それらの処理とは、選局切り替え前の受信チャンネルのデータ・コンテンツの終了処理、チューナの切り替え処理、番組特定情報（以下、ＰＳＩと記す）取得処理、デスクランブル（Ｄｅｓｃｒａｍｂｌｅ）処理、音声映像（以下、ＡＶと記す）デコード処理、選局切り替えで次に受信するチャンネルのデータ・コンテンツの取得処理などである。【０００５】  上記、従来の構成には、複数のチューナを有するデジタル放送受信装置において、多大な処理時間を要するデジタル放送の選局時間を短縮する有用な構成は、開示されていない。
【発明の開示】
【０００６】  本発明は、空いているチューナを有効に活用し、処理時間を要するデジタル放送の選局時間を短縮できるデジタル放送受信装置を提供する。
【０００７】  本発明のデジタル放送受信装置は、複数のチューナと、トランスポート・ストリーム（Ｔｒａｎｓｐｏｒｔ  Ｓｔｒｅａｍ：以下、ＴＳと記す）処理部またはＴＳ処理部群と、サービス情報（以下、ＳＩと記す）／番組特定情報（Ｐｒｏｇｒａｍ  Ｓｐｅｃｉｆｉｃ  Ｉｎｆｏｒｍａｔｉｏｎ：以下、ＰＳＩと記す）取得部と、データ・コンテンツ取得部と、映像音声出力制御部と、選局制御部と、を備える。チューナは、デジタル放送波を受信する。ＴＳ処理部は、チューナで復調されたＴＳを少なくとも２本以上処理できる。
【０００８】  ＳＩ／ＰＳＩ取得部は、ＴＳ処理部からＳＩを抽出する。データ・コンテンツ取得部は、データ・コンテンツをキャッシュする。映像音声出力制御部は、複数の映像音声を同時または切り替えて処理することができる。選局制御部は、ユーザからの選局指示に基づき複数のチューナの一つを選択して選局処理を行う。選局制御部は、さらに、ユーザが次に選局するであろうチャンネルをあらかじめ予測し、複数のチューナのうち選択されていないチューナを用いて選局処理を行う予測選局処理をしておく。これにより、空いているチューナを活用し、多大な処理時間を要するデジタル放送の選局時間を短縮できる。
【０００９】  また、本発明のデジタル放送受信装置は、デジタル放送波の受信に関する統計データを検出する統計データ検出部をさらに備え、選局制御部が、統計データ検出部で検出した統計データに基づいて予測選局処理を行ってもよい。これによれば、チャンネル・アップの後には再びチャンネル・アップすることが多いなど、統計データに基づき次選局チャンネルを予測、特定することによって、予測ヒット率を向上させ、デジタル放送の選局時間を短縮することができる。
【００１０】  また、本発明のデジタル放送受信装置は、ユーザの視聴パターンを検出する視聴パターン検出部をさらに備え、選局制御部が、視聴パターン検出部で検出したユーザの視聴パターンに基づいて予測選局処理を行ってもよい。これによれば、ユーザの過去の視聴パターンから、例えば、時間帯や曜日と視聴するチャンネルとの相関などを割り出し、次選局チャンネルを予測、特定することによって、予測ヒット率を向上させ、デジタル放送の選局時間を短縮することができる。
【００１１】  また、本発明のデジタル放送受信装置は、予測選局動作設定部と、予測選局動作設定検出部と、をさらに備えてもよい。予測選局動作設定部は、ユーザが予測選局する動作の種別を設定する。予測選局動作設定検出部は、予測選局動作設定部で設定された予測選局動作の種別において予測された選局動作を検出する。選局制御部が、予測選局動作設定検出部で検出した予測された選局動作に基づいて予測選局処理を行ってもよい。これによれば、例えば、ユーザがよく視聴するチャンネルや、直前のチャンネルなど、ユーザに、常に予測選局しておくチャンネルを選択させることによって、予測ヒット率を向上させ、デジタル放送の選局時間を短縮することができる。
【００１２】  さらに、本発明のデジタル放送受信装置は、選局メニュー表示部と、カーソル位置検出部と、をさらに備えてもよい。選局メニュー表示部は、選局用のメニューを表示する。カーソル位置検出部は、選局用のメニューを移動するカーソルの位置を、検出する。選局制御部が、カーソル位置検出部で検出したカーソルの位置に基づいて予測選局処理を行ってもよい。これによれば、例えば、電子番組ガイド（Ｅｌｅｃｔｒｏｎｉｃ  Ｐｒｏｇｒａｍ  Ｇｕｉｄｅ：以下、ＥＰＧと記す）等のメニューからの選局を実現するアプリケーションにおいて、選局メニュー表示中のカーソルの位置に基づいて予測選局をすることにより、予測ヒット率を向上させ、デジタル放送の選局時間を短縮することができる。
【図面の簡単な説明】
【００１３】
【図１】図１は本発明の第１実施例におけるデジタル放送受信装置の構成を示すブロック図である。
【図２】図２は本発明の第２実施例におけるデジタル放送受信装置の構成を示すブロック図である。
【図３】図３は本発明の第３実施例におけるデジタル放送受信装置の構成を示すブロック図である。
【図４】図４は本発明の第４実施例におけるデジタル放送受信装置の構成を示すブロック図である。
【図５】図５は本発明の第５実施例におけるデジタル放送受信装置の構成を示すブロック図である。
【符号の説明】
【００１４】  １０１１〜ｎ  チューナ
１０３  ＴＳ処理部
１０４  映像音声出力制御部
１０５  ＳＩ／ＰＳＩ取得部
１０６  データ・コンテンツ取得部
１０７  選局制御部
１０８  デジタル放送受信装置
１０９  表示部
１１０  統計データ検出部
１１１  視聴パターン検出部
１１２  予測選局動作設定部
１１３  予測選局動作設定検出部
１１４  選局メニュー表示部
１１５  カーソル位置検出部
【発明を実施するための最良の形態】
【００１５】  以下、本発明の実施例について、図面を参照しながら説明する。【００１６】  （第１実施例）
図１は、本発明の第１実施例におけるデジタル放送受信装置の構成を示すブロック図である。図１において、デジタル放送受信装置１０８は、ｎ個（ｎは２以上の自然数）のチューナ１０１１〜ｎと、ＴＳ処理部１０３と、ＳＩ／ＰＳＩ取得部１０５と、データ・コンテンツ取得部１０６と、映像音声出力制御部１０４と、選局制御部１０７と、を備える。チューナ１０１１〜ｎは、高周波（以下、ＲＦと記す）信号を入力し、デジタル放送波を受信する。ＴＳ処理部１０３は、チューナ１０１１〜ｎで復調されたＴＳを、少なくとも２本以上処理する。【００１７】  ＳＩ／ＰＳＩ取得部１０５は、ＴＳ処理部からサービス情報を抽出し、取得する。データ・コンテンツ取得部１０６は、データ・コンテンツをキャッシュする。映像音声出力制御部１０４は、複数の映像音声を同時または切り替えて処理し、表示部１０９に出力する。選局制御部１０７は、ユーザからの選局指示に基づき、複数のチューナ１０１１〜ｎの一つであるチューナ１０１１を選択して、選局処理を行う。さらに、選局制御部１０７は、ユーザが次に選局するであろうチャンネルをあらかじめ予測し、選択されていないチューナ１０１２を用いて、予測選局処理をしておく。【００１８】  ユーザが、チューナ１０１１経由でチャンネルＡを視聴しているとする。このとき、選局制御部１０７は、選択されていないチューナ１０１２を、予測した、例えばチャンネルＢに合わせ、ＳＩ／ＰＳＩ取得部１０５、およびデータ・コンテンツ取得部１０６を連動させて待機する。この後、予測通り、ユーザがチャンネルＢへの切替を指示したら、ＴＳ処理部１０３を制御することにより、チューナ１０１２からの信号を映像音声出力制御部１０４につなぐ。ＳＩ／ＰＳＩ取得部１０５で取得されたＰＳＩ情報を参照して、映像音声出力制御部１０４を制御することによって、チャンネルＡからチャンネルＢへの切り替えを実現する。また、予測と違うチャンネルが選局された場合は、現在選択されているチューナ１０１１を用いて選局をする。【００１９】  以上のように、選局制御部１０７は、ユーザが次に選局するであろうチャンネルを予測して、選択されていないチューナ１０１２を用いて、あらかじめ予測選局処理をしておくので、選局処理速度を向上することができる。なお、ユーザが次に選局するであろうチャンネルを、どのように予測するかについては、以下の各実施例で説明する。【００２０】  （第２実施例）
図２は、本発明の第２実施例におけるデジタル放送受信装置の構成を示すブロック図である。図２において、図１と同じ構成については同じ符号を用い、その説明を省略する。本実施例では、デジタル放送波の受信に関する統計データを検出する統計データ検出部１１０を設けている。以上のように構成されたデジタル放送受信装置において、コマーシャル放送期間に、次々とチャンネルをアップするといったザッピング（Ｚａｐｐｉｎｇ）選局の高速化について、図２を用いて説明する。【００２１】  ユーザが、チューナ１０１１経由でチャンネルＡを視聴していて、チャンネルアップ操作をすると、チャンネルＡからチャンネルＢへ、チャンネルＢからチャンネルＣへ、チャンネルＣからチャンネルＤへ、と遷移するデジタル放送受信装置であるとする。このとき、ユーザによりチャンネル・アップ・ボタン（図示せず）が押されたら、選局制御部１０７は、チャンネルＡからチャンネルＢへ切り替えるために、チューナ１０１１とＴＳ処理部１０３とを制御し、ＳＩ／ＰＳＩ取得部１０５で取得されたＰＳＩ情報を参照して、さらに、映像音声出力制御部１０４を制御して選局動作を行う。【００２２】  また、チャンネル・アップ・ボタンにより選局されたという情報を、統計データ検出部１１０に送る。統計データ検出部１１０は、所有する統計データから、関連する統計データを検出し、選局制御部１０７に出力する。選局制御部１０７は、統計データ検出部１１０から得られた情報に基づき、例えば、次の選局も「チャンネル・アップ・ボタンの可能性が高い」という予測をする。そして、チューナ１０１２をチャンネルＣにあわせ、ＳＩ／ＰＳＩ取得部１０５、およびデータ・コンテンツ取得部１０６を連動させて待機する。【００２３】  この後、予測通り、ユーザがチャンネル・アップ・ボタンを、さらに押したら、選局制御部１０７は、ＴＳ処理部１０３を制御することにより、チューナ１０１２からの信号を、映像音声出力制御部１０４に出力する。さらに、選局制御部１０７は、ＳＩ／ＰＳＩ取得部１０５で取得されたＰＳＩ情報を参照して、映像音声出力制御部１０４を制御することによって、チャンネルＢからチャンネルＣへの切り替えを実現する。一方、再びチャンネル・アップからの選局であるため、前記アルゴリズムと同様に、統計データ検出部１１０からの情報により、選局制御部１０７は、チューナ１０１ｎをチャンネルＤにあわせ、ＳＩ／ＰＳＩ取得部１０５、およびデータ・コンテンツ取得部１０６を連動させる。【００２４】  また、予測が外れ、チャンネル・アップでない選局が発生した場合は、現在選択されているチューナを用いて選局をする。こうすることにより、チャンネル・アップが押されるたびに、その次のチャンネルの選局処理と、その次の次のチャンネルの予測選局処理とをすることで、ザッピング選局処理速度を向上することができる。チャンネル・ダウンでのザッピング選局もチャンネル・アップと同様のアルゴリズムで実現できる。【００２５】  （第３実施例）
図３は、本発明の第３実施例におけるデジタル放送受信装置の構成を示すブロック図である。図３において、図１と同じ構成については同じ符号を用い、その説明を省略する。本実施例では、ユーザの視聴パターンを検出する視聴パターン検出部１１１を設けている。以上のように構成されたデジタル放送受信装置において、ユーザの視聴パターンに基づく選局予測アルゴリズムについて、図３を参照して説明する。【００２６】  ユーザが、チューナ１０１１経由でチャンネルＡを視聴していて、１週間前にチャンネルＢを視聴していたとする。視聴パターン検出部１１１は、ユーザの過去の視聴情報を記憶している。ユーザの過去の視聴情報として具体的には、視聴したチャンネル、視聴のために当該チャンネルに切り替えた時刻、および、当該チャンネルの視聴を終了した時刻、が記憶されている。【００２７】  また、視聴パターン検出部１１１は、時刻を計測する計時部（図示せず）より時刻に関する情報を入手することができる。視聴パターン検出部１１１は、ユーザがデジタル放送を視聴し、チャンネルを切り替える、または、視聴を終了する際に、前記視聴情報を記憶する。これにより、視聴パターン検出部１１１は、記憶している視聴データを検索することにより、ユーザが過去に何を視聴したかを認識することができる。【００２８】  視聴パターン検出部１１１が、現在の時刻の１週間前に、チャンネルＢを視聴していたことを検知すると、その情報を、選局制御部１０７に対して出力する。選局制御部１０７は、視聴パターン検出部１１１より得られた情報により、もうすぐチャンネルＢに切り替える可能性が高いという予測を行う。そして、選局制御部１０７は、チューナ１０１２をチャンネルＢに合わせ、ＳＩ／ＰＳＩ取得部１０５、およびデータコンテンツ取得部１０６を連動させて待機する。【００２９】  この後、予想通り、ユーザがチャンネルＢに選局を切り替えたら、選局制御部１０７は、ＴＳ処理部１０３を制御することにより、チューナ１０１２からの信号を、映像音声出力制御部１０４に出力する。さらに、選局制御部１０７は、ＳＩ／ＰＳＩ取得部１０５で取得されたＰＳＩ情報を参照して、映像音声出力制御部１０４を制御する。一方、予測と違うチャンネルの選局が発生した場合は、現在選択されているチューナ１０１１を用いて選局処理をする。【００３０】  なお、現在の時刻の１週間前に、ユーザが視聴した番組が無かった場合は、視聴パターン検出部１１１は、１週間前の時刻を基準として、その後の時刻に、ユーザが視聴していたチャンネルがあるかどうかを検索する。そして、視聴情報が見つかれば、選局制御部１０７は、チューナ１０１２を当該チャンネルに合わせる。例えば、視聴パターン検出部１１１に、現在の時刻から１週間前にユーザが視聴していたことを示す視聴情報が記憶されていない場合、現在の時刻から１週間前の時刻を基準として、その後の時刻に、ユーザが視聴したかどうかを検索する。そして、例えば、１週間前の時刻の１０分後に、チャンネルＢを視聴していたことが記憶されていれば、チューナ１０１２をチャンネルＢに合わせる。【００３１】  以上のように、視聴パターン検出部１１１が、ユーザの過去の視聴パターンから、時間帯や曜日と視聴するチャンネルとの相関を検出し、選局制御部１０７が、番組開始時間に合わせて予測選局を行う。これによって、ユーザの目的のチャンネルに瞬時に切り替えることができる。【００３２】  なお、現在の時刻の１週間前に視聴している番組が無かった場合に、予測の基準点を変更しても良い。例えば、１週間前に視聴している番組が無かった場合には、１日前に視聴している番組があるかどうかを検索する。そして、１日前にはチャンネルＢを視聴していたことが視聴パターン検出部１１１に記憶されていれば、チューナ１０１２を、チャンネルＢに合わせるようにしてもよい。【００３３】  また、ユーザの過去の視聴情報として、視聴したチャンネル、視聴のために当該チャンネルに切り替えた時刻、及び、当該チャンネルの視聴を終了した時刻に加えて、番組情報を、記憶しておいてもよい。そして、放送されているデジタル放送のＳＩ情報と比較することにより、１週間前に視聴した番組と同シリーズの番組が放送されることを、検知できれば、さらによい。この場合、１週間前に視聴したチャンネルに、１週間前に視聴した番組と同様の番組が、放送されているかを判断することができる。その結果、１週間前に視聴したチャンネルで、現在放送している番組と１週間前に視聴した番組とが異なっていた場合は、予測の基準点を変更することを繰り返す。これによれば、ユーザが次に選局するであろうチャンネルを、より精度よく予測し、チューナ１０１２をユーザの目的のチャンネルに合わせることができ、ユーザが選局すれば、直ちに、そのチャンネルへ切り替えることができる。【００３４】  また、本実施例では、予測の基準点を１週間の場合で説明したが、本発明はこれに限るものではなく、例えば、１ヶ月や１日などとしても良い。また、３つ以上の複数のチューナを備えて、予測の基準点の設定を異なるものにしても良い。この場合、例えば、図３において、チューナ１０１１を用いて視聴している場合、チューナ１０１２の予測の基準点と、チューナ１０１の予測の基準点と、を異なる設定にしてもよい。例えば、チューナ１０１２の予測の基準点の設定を、１週間とし、チューナ１０１の予測の基準点を、１日と設定することができる。この場合、現在の時刻から１週間前と１日前とで、異なるチャンネルを視聴していた場合には、１週間前に視聴していたチャンネルと１日前に視聴していたチャンネルとのいずれのチャンネルへの切り替えも、瞬時に行なうことができる。【００３５】  （第４実施例）
図４は、本発明の第４実施例におけるデジタル放送受信装置の構成を示すブロック図である。図４において、図１と同じ構成については同じ符号を用い、その説明を省略する。本実施例では、予測選局動作設定部１１２と、予測選局動作設定検出部１１３と、を設けている。予測選局動作設定部１１２は、ユーザ・インターフェースなどの、ユーザが予測選局する動作の種別を設定する。予測選局動作設定検出部１１３は、予測選局動作設定部１１２で設定された予測選局動作の種別において予測された選局動作を検出する。以上のように構成されたデジタル放送受信装置において、選局予測動作設定検出部１１３が検出した予測された選局動作に基づいて予測選局処理を行うアルゴリズムについて、図４を参照して説明する。【００３６】  ユーザが、チューナ１０１１経由でチャンネルＡを視聴していたとする。ここで、チャンネルＡはスポンサーの宣伝等を放送するコマーシャル放送時間となったため、チャンネルＢに切り替える場合で説明する。予測選局動作設定部１１２は、前に選局されたチャンネルを保持する前選局保持用のチューナの数と第３実施例に記載の予測選局をするためのチューナの数とを記憶している。本実施例では、前選局保持用のチューナの数が１つ、予測選局をするためのチューナの数を１つとして記憶した場合で説明する。【００３７】  予測選局動作設定部１１２に記憶されている前選局保持用のチューナの数と、第３実施例に記載の予測選局をするためのチューナの数と、に基づいて、選局制御部１０７は、チューナを、前選局保持用のチューナと予測選局をするためのチューナとに振り分ける。例えば、本実施例ではチューナ１０１１で視聴しているときは、チューナ１０１２を前選局保持用のチューナとし、チューナ１０１ｎを予測選局をするためのチューナとする。【００３８】  ここで、ユーザからのチャンネルＢへの選局要求がきたら、選局制御部１０７は、チューナ１０１２とＴＳ処理部１０３を制御し、ＳＩ／ＰＳＩ取得部１０５で取得されたＰＳＩ情報を参照して、映像音声出力制御部１０４を制御して選局動作を行う。一方、チューナ１０１１は、今の状態を保つ。一定時間が過ぎ、選局制御部１０７が、再びチャンネルＡへの選局要求を受けたときには、ＴＳ処理部１０３を制御することにより、チューナ１０１１からの信号を映像音声出力制御部１０４につなぎ、ＳＩ／ＰＳＩ取得部１０５で取得されたＰＳＩ情報を参照して、映像音声出力制御部１０４を制御する。こうすることにより、チャンネルＡおよびＢの２つのチャンネルを、いったりきたりする場合の選局時間を短縮することができる。【００３９】  また、前選局保持用のチューナの個数は、任意に設定でき、前選局保持用のチューナの個数分だけ、前に選局されたチャンネルをキャッシュできる。さらに、予測選局動作設定部１１２は、ユーザの使用用途に合わせて、チューナの使い方をカスタマイズができるようにするものである。予測選局動作設定部１１２は、例えば、システム設定メニューなどで更新することが可能である。なお、必要な場合だけ、一部のチューナを前選局保持用のチューナとするための選局ポーズボタン（図示せず）を備え、そのボタンが押されたときだけ、チューナ１０１１乃���チューナ１０１ｎを、前選局保持用のチューナとして動作させてもよい。【００４０】  その場合、データ放送の画面遷移状態なども保持できれば、さらによい。システム設定メニューなどでカスタマイズする項目としては、上記の例のように、前に選局したチャンネルをキャッシュする設定のほかに、例えば、よく見るお気に入りのチャンネルを常に予測選局処理して選局情報をキャッシュしておくように設定してもよい。これにより、そのチャンネルへの切り替えをスムーズに実現することもできる。【００４１】  （第５実施例）
図５は、本発明の第５実施例におけるデジタル放送受信装置の構成を示すブロック図である。図５において、図１と同じ構成については同じ符号を用い、その説明を省略する。本実施例では、選局メニュー表示部１１４と、カーソル位置検出部１１５と、を設けている。選局メニュー表示部１１４は、選局用のメニューを表示する。カーソル位置検出部１１５は、選局メニュー表示部１１４の表示メニューにカーソルの移動によって選局されたカーソル位置を、検出する。以上のように構成されたデジタル放送受信装置において、カーソル位置検出部１１５が検出したカーソル位置に基づいて予測選局処理を行うアルゴリズムについて、図５を参照して説明する。【００４２】  ユーザが、チューナ１０１１により、チャンネルＡを視聴していた場合で説明する。ここで、ユーザが、他のチャンネル情報が気になり、例えばＥＰＧボタン（図示せず）を押して、ＥＰＧ画面（図示せず）に遷移させたとする。ＥＰＧ画面には、例えば子画面でチャンネルＡが出画されている。ユーザが、カーソルをチャンネルＢの欄に移動させ、チャンネルＢの情報を参照しようとする。【００４３】  そのとき、子画面でチャンネルＡが出画されている。一方、選局制御部１０７は、カーソル位置検出部１１５から、今のカーソル位置がチャンネルＢであるという情報を受け取る。そして、チューナ１０１２をチャンネルＢにあわせ、ＳＩ／ＰＳＩ取得部１０５、およびデータ・コンテンツ取得部１０６を連動させる。そこで、ユーザにより、チャンネルＢの欄で、決定キーが押されたら、ＴＳ処理部１０３を制御する。そして、チューナ１０１２からの信号を、映像音声出力制御部１０４につなぐ。ＳＩ／ＰＳＩ取得部１０５で取得されたＰＳＩ情報を参照して、映像音声出力制御部１０４を制御する。【００４４】  以上により、ＥＰＧなどのメニュー系からの選局処理の操作性を向上させることができる。また、カーソル位置に連動させて選局処理をすることにより、そのチャンネルでしか流れていない特有のＳＩ情報などを取得して、画面上に反映させることもできる。選局メニュー表示部１１４は、画面メニューと連動した選局処理を有するアプリケーションを指し、ＥＰＧなどの他に、データ放送やサービス・リスト表示などでも同様である。【００４５】  なお、実施例２〜５を任意に組み合わせたデジタル放送受信装置も、実施可能である。
【産業上の利用可能性】
【００４６】  以上のように、本発明は、複数のチューナを有するデジタル放送受信装置において、ユーザが次に選局するであろうチャンネルを予測し、選択されていないチューナを用いて、あらかじめ予測選局処理をしておくので、ユーザからの選局要求からチャンネル切り替えまでの時間を短くできるので、選局時の操作性の向上が図れるデジタル放送受信装置等に関して有用である。
【図１】
2006109477.tif 000002
【図２】
2006109477.tif 000003
【図３】
2006109477.tif 000004
【図４】
2006109477.tif 000005
【図５】
2006109477.tif 000006
【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
デジタル放送波を受信する複数のチューナと、
前記チューナで復調されたトランスポート・ストリームを少なくとも２本以上処理できるトランスポート・ストリーム処理部と、
前記トランスポート・ストリーム処理部からサービス情報を抽出するサービス情報取得部と、
データ・コンテンツをキャッシュするデータ・コンテンツ取得部と、
複数の映像音声を同時または切り替えて処理することができる映像音声出力制御部と、
ユーザからの選局指示に基づき前記複数のチューナの一つを選択して選局処理を行う選局制御部と、
を備えるデジタル放送受信装置であって、
前記選局制御部は、前記ユーザが次に選局するであろうチャンネルをあらかじめ予測し、前記複数のチューナのうち選択されていないチューナを用いて選局処理を行う予測選局処理をしておくデジタル放送受信装置。
【請求項２】
前記デジタル放送波の受信に関する統計データを検出する統計データ検出部をさらに備え、前記選局制御部は、前記統計データに基づいて前記予測選局処理を行う請求項１に記載のデジタル放送受信装置。
【請求項３】
前記ユーザの視聴パターンを検出する視聴パターン検出部をさらに備え、前記選局制御部は、前記ユーザの視聴パターンに基づいて前記予測選局処理を行う請求項１に記載のデジタル放送受信装置。
【請求項４】
前記ユーザが予測選局する動作の種別を設定する予測選局動作設定部と、前記予測選局動作設定部で設定された予測選局動作の種別において予測された選局動作を検出する予測選局動作設定検出部と、をさらに備え、前記選局制御部は、前記予測選局動作設定検出部が検出した前記予測された選局動作に基づいて前記予測選局処理を行う請求項１に記載のデジタル放送受信装置。
【請求項５】
選局用のメニューを表示する選局メニュー表示部と、前記選局用のメニューを移動するカーソルの位置を、検出するカーソル位置検出部と、をさらに備え、前記選局制御部は、前記カーソルの位置に基づいて前記予測選局処理を行う請求項１に記載のデジタル放送受信装置。
【手続補正２】
【補正対象書類名】明細書
【補正対象項目名】全文
【補正方法】変更
【補正の内容】
【発明の詳細な説明】
【技術分野】
【０００１】
本発明は、複数のチューナを有するデジタル放送受信装置の選局方法に関する。
【背景技術】
【０００２】
複数のチューナが搭載された放送受信装置において、選択されていないチューナを有効利用した選局方法に関する従来の構成を説明する。同期信号の有無を、空いているチューナを用いて調べて、チャンネル情報と共に記憶することにより選局時間を短縮する従来の構成が、例えば、特開２００４−７３１８号に開示されている。また、選局時に、空いているチューナで同期をあわせてから、チャンネルを切り替えることにより、同期の乱れを防ぐ従来の構成は、例えば、特開平７−２８３９６５号に開示されている。
【０００３】
一方、２画面表示やピクチャー・イン・ピクチャー方式、あるいは、録画機器内蔵型の裏録画用として、複数のチューナが搭載された放送受信装置が、多く存在してきている。しかし、それらは、通常の選局方法による視聴の時間が大半を占め、複数のチューナの使用用途は、限定されているのが現状である。
【０００４】
この様な中、昨今、デジタル放送が主流になりつつある。デジタル放送受信装置における選局処理は、アナログ放送受信とは異なり、多岐にわたり、処理時間を要し得る。それらの処理とは、選局切り替え前の受信チャンネルのデータ・コンテンツの終了処理、チューナの切り替え処理、番組特定情報（以下、ＰＳＩと記す）取得処理、デスクランブル（Ｄｅｓｃｒａｍｂｌｅ）処理、音声映像（以下、ＡＶと記す）デコード処理、選局切り替えで次に受信するチャンネルのデータ・コンテンツの取得処理などである。
【０００５】
上記、従来の構成には、複数のチューナを有するデジタル放送受信装置において、多大な処理時間を要するデジタル放送の選局時間を短縮する有用な構成は、開示されていない。
【発明の開示】
【０００６】
本発明は、空いているチューナを有効に活用し、処理時間を要するデジタル放送の選局時間を短縮できるデジタル放送受信装置を提供する。
【０００７】
本発明のデジタル放送受信装置は、複数のチューナと、トランスポート・ストリーム（Ｔｒａｎｓｐｏｒｔ  Ｓｔｒｅａｍ：以下、ＴＳと記す）処理部またはＴＳ処理部群と、サービス情報（以下、ＳＩと記す）／番組特定情報（Ｐｒｏｇｒａｍ  Ｓｐｅｃｉｆｉｃ  Ｉｎｆｏｒｍａｔｉｏｎ：以下、ＰＳＩと記す）取得部と、データ・コンテンツ取得部と、映像音声出力制御部と、選局制御部と、を備える。チューナは、デジタル放送波を受信する。ＴＳ処理部は、チューナで復調されたＴＳを少なくとも２本以上処理できる。
【０００８】
ＳＩ／ＰＳＩ取得部は、ＴＳ処理部からＳＩを抽出する。データ・コンテンツ取得部は、データ・コンテンツをキャッシュする。映像音声出力制御部は、複数の映像音声を同時または切り替えて処理することができる。選局制御部は、ユーザからの選局指示に基づき複数のチューナの一つを選択して選局処理を行う。選局制御部は、さらに、ユーザが次に選局するであろうチャンネルをあらかじめ予測し、複数のチューナのうち選択されていないチューナを用いて選局処理を行う予測選局処理をしておく。これにより、空いているチューナを活用し、多大な処理時間を要するデジタル放送の選局時間を短縮できる。
【０００９】
また、本発明のデジタル放送受信装置は、デジタル放送波の受信に関する統計データを検出する統計データ検出部をさらに備え、選局制御部が、統計データ検出部で検出した統計データに基づいて予測選局処理を行ってもよい。これによれば、チャンネル・アップの後には再びチャンネル・アップすることが多いなど、統計データに基づき次選局チャンネルを予測、特定することによって、予測ヒット率を向上させ、デジタル放送の選局時間を短縮することができる。
【００１０】
また、本発明のデジタル放送受信装置は、ユーザの視聴パターンを検出する視聴パターン検出部をさらに備え、選局制御部が、視聴パターン検出部で検出したユーザの視聴パターンに基づいて予測選局処理を行ってもよい。これによれば、ユーザの過去の視聴パターンから、例えば、時間帯や曜日と視聴するチャンネルとの相関などを割り出し、次選局チャンネルを予測、特定することによって、予測ヒット率を向上させ、デジタル放送の選局時間を短縮することができる。
【００１１】
また、本発明のデジタル放送受信装置は、予測選局動作設定部と、予測選局動作設定検出部と、をさらに備えてもよい。予測選局動作設定部は、ユーザが予測選局する動作の種別を設定する。予測選局動作設定検出部は、予測選局動作設定部で設定された予測選局動作の種別において予測された選局動作を検出する。選局制御部が、予測選局動作設定検出部で検出した予測された選局動作に基づいて予測選局処理を行ってもよい。これによれば、例えば、ユーザがよく視聴するチャンネルや、直前のチャンネルなど、ユーザに、常に予測選局しておくチャンネルを選択させることによって、予測ヒット率を向上させ、デジタル放送の選局時間を短縮することができる。
【００１２】
さらに、本発明のデジタル放送受信装置は、選局メニュー表示部と、カーソル位置検出部と、をさらに備えてもよい。選局メニュー表示部は、選局用のメニューを表示する。カーソル位置検出部は、選局用のメニューを移動するカーソルの位置を、検出する。選局制御部が、カーソル位置検出部で検出したカーソルの位置に基づいて予測選局処理を行ってもよい。これによれば、例えば、電子番組ガイド（Ｅｌｅｃｔｒｏｎｉｃ  Ｐｒｏｇｒａｍ  Ｇｕｉｄｅ：以下、ＥＰＧと記す）等のメニューからの選局を実現するアプリケーションにおいて、選局メニュー表示中のカーソルの位置に基づいて予測選局をすることにより、予測ヒット率を向上させ、デジタル放送の選局時間を短縮することができる。
【発明を実施するための最良の形態】
【００１３】
以下、本発明の実施例について、図面を参照しながら説明する。
【００１４】
（第１実施例）
図１は、本発明の第１実施例におけるデジタル放送受信装置の構成を示すブロック図である。図１において、デジタル放送受信装置１０８は、ｎ個（ｎは２以上の自然数）のチューナ１０１１〜ｎと、ＴＳ処理部１０３と、ＳＩ／ＰＳＩ取得部１０５と、データ・コンテンツ取得部１０６と、映像音声出力制御部１０４と、選局制御部１０７と、を備える。チューナ１０１１〜ｎは、高周波（以下、ＲＦと記す）信号を入力し、デジタル放送波を受信する。ＴＳ処理部１０３は、チューナ１０１１〜ｎで復調されたＴＳを、少なくとも２本以上処理する。
【００１５】
ＳＩ／ＰＳＩ取得部１０５は、ＴＳ処理部からサービス情報を抽出し、取得する。データ・コンテンツ取得部１０６は、データ・コンテンツをキャッシュする。映像音声出力制御部１０４は、複数の映像音声を同時または切り替えて処理し、表示部１０９に出力する。選局制御部１０７は、ユーザからの選局指示に基づき、複数のチューナ１０１１〜ｎの一つであるチューナ１０１１を選択して、選局処理を行う。さらに、選局制御部１０７は、ユーザが次に選局するであろうチャンネルをあらかじめ予測し、選択されていないチューナ１０１２を用いて、予測選局処理をしておく。
【００１６】
ユーザが、チューナ１０１１経由でチャンネルＡを視聴しているとする。このとき、選局制御部１０７は、選択されていないチューナ１０１２を、予測した、例えばチャンネルＢに合わせ、ＳＩ／ＰＳＩ取得部１０５、およびデータ・コンテンツ取得部１０６を連動させて待機する。この後、予測通り、ユーザがチャンネルＢへの切替を指示したら、ＴＳ処理部１０３を制御することにより、チューナ１０１２からの信号を映像音声出力制御部１０４につなぐ。ＳＩ／ＰＳＩ取得部１０５で取得されたＰＳＩ情報を参照して、映像音声出力制御部１０４を制御することによって、チャンネルＡからチャンネルＢへの切り替えを実現する。また、予測と違うチャンネルが選局された場合は、現在選択されているチューナ１０１１を用いて選局をする。
【００１７】
以上のように、選局制御部１０７は、ユーザが次に選局するであろうチャンネルを予測して、選択されていないチューナ１０１２を用いて、あらかじめ予測選局処理をしておくので、選局処理速度を向上することができる。なお、ユーザが次に選局するであろうチャンネルを、どのように予測するかについては、以下の各実施例で説明する。
【００１８】
（第２実施例）
図２は、本発明の第２実施例におけるデジタル放送受信装置の構成を示すブロック図である。図２において、図１と同じ構成については同じ符号を用い、その説明を省略する。本実施例では、デジタル放送波の受信に関する統計データを検出する統計データ検出部１１０を設けている。以上のように構成されたデジタル放送受信装置において、コマーシャル放送期間に、次々とチャンネルをアップするといったザッピング（Ｚａｐｐｉｎｇ）選局の高速化について、図２を用いて説明する。
【００１９】
ユーザが、チューナ１０１１経由でチャンネルＡを視聴していて、チャンネルアップ操作をすると、チャンネルＡからチャンネルＢへ、チャンネルＢからチャンネルＣへ、チャンネルＣからチャンネルＤへ、と遷移するデジタル放送受信装置であるとする。このとき、ユーザによりチャンネル・アップ・ボタン（図示せず）が押されたら、選局制御部１０７は、チャンネルＡからチャンネルＢへ切り替えるために、チューナ１０１１とＴＳ処理部１０３とを制御し、ＳＩ／ＰＳＩ取得部１０５で取得されたＰＳＩ情報を参照して、さらに、映像音声出力制御部１０４を制御して選局動作を行う。
【００２０】
また、チャンネル・アップ・ボタンにより選局されたという情報を、統計データ検出部１１０に送る。統計データ検出部１１０は、所有する統計データから、関連する統計データを検出し、選局制御部１０７に出力する。選局制御部１０７は、統計データ検出部１１０から得られた情報に基づき、例えば、次の選局も「チャンネル・アップ・ボタンの可能性が高い」という予測をする。そして、チューナ１０１２をチャンネルＣにあわせ、ＳＩ／ＰＳＩ取得部１０５、およびデータ・コンテンツ取得部１０６を連動させて待機する。
【００２１】
この後、予測通り、ユーザがチャンネル・アップ・ボタンを、さらに押したら、選局制御部１０７は、ＴＳ処理部１０３を制御することにより、チューナ１０１２からの信号を、映像音声出力制御部１０４に出力する。さらに、選局制御部１０７は、ＳＩ／ＰＳＩ取得部１０５で取得されたＰＳＩ情報を参照して、映像音声出力制御部１０４を制御することによって、チャンネルＢからチャンネルＣへの切り替えを実現する。一方、再びチャンネル・アップからの選局であるため、前記アルゴリズムと同様に、統計データ検出部１１０からの情報により、選局制御部１０７は、チューナ１０１ｎをチャンネルＤにあわせ、ＳＩ／ＰＳＩ取得部１０５、およびデータ・コンテンツ取得部１０６を連動させる。
【００２２】
また、予測が外れ、チャンネル・アップでない選局が発生した場合は、現在選択されているチューナを用いて選局をする。こうすることにより、チャンネル・アップが押されるたびに、その次のチャンネルの選局処理と、その次の次のチャンネルの予測選局処理とをすることで、ザッピング選局処理速度を向上することができる。チャンネル・ダウンでのザッピング選局もチャンネル・アップと同様のアルゴリズムで実現できる。
【００２３】
（第３実施例）
図３は、本発明の第３実施例におけるデジタル放送受信装置の構成を示すブロック図である。図３において、図１と同じ構成については同じ符号を用い、その説明を省略する。本実施例では、ユーザの視聴パターンを検出する視聴パターン検出部１１１を設けている。以上のように構成されたデジタル放送受信装置において、ユーザの視聴パターンに基づく選局予測アルゴリズムについて、図３を参照して説明する。
【００２４】
ユーザが、チューナ１０１１経由でチャンネルＡを視聴していて、１週間前にチャンネルＢを視聴していたとする。視聴パターン検出部１１１は、ユーザの過去の視聴情報を記憶している。ユーザの過去の視聴情報として具体的には、視聴したチャンネル、視聴のために当該チャンネルに切り替えた時刻、および、当該チャンネルの視聴を終了した時刻、が記憶されている。
【００２５】
また、視聴パターン検出部１１１は、時刻を計測する計時部（図示せず）より時刻に関する情報を入手することができる。視聴パターン検出部１１１は、ユーザがデジタル放送を視聴し、チャンネルを切り替える、または、視聴を終了する際に、前記視聴情報を記憶する。これにより、視聴パターン検出部１１１は、記憶している視聴データを検索することにより、ユーザが過去に何を視聴したかを認識することができる。
【００２６】
視聴パターン検出部１１１が、現在の時刻の１週間前に、チャンネルＢを視聴していたことを検知すると、その情報を、選局制御部１０７に対して出力する。選局制御部１０７は、視聴パターン検出部１１１より得られた情報により、もうすぐチャンネルＢに切り替える可能性が高いという予測を行う。そして、選局制御部１０７は、チューナ１０１２をチャンネルＢに合わせ、ＳＩ／ＰＳＩ取得部１０５、およびデータコンテンツ取得部１０６を連動させて待機する。
【００２７】
この後、予想通り、ユーザがチャンネルＢに選局を切り替えたら、選局制御部１０７は、ＴＳ処理部１０３を制御することにより、チューナ１０１２からの信号を、映像音声出力制御部１０４に出力する。さらに、選局制御部１０７は、ＳＩ／ＰＳＩ取得部１０５で取得されたＰＳＩ情報を参照して、映像音声出力制御部１０４を制御する。一方、予測と違うチャンネルの選局が発生した場合は、現在選択されているチューナ１０１１を用いて選局処理をする。
【００２８】
なお、現在の時刻の１週間前に、ユーザが視聴した番組が無かった場合は、視聴パターン検出部１１１は、１週間前の時刻を基準として、その後の時刻に、ユーザが視聴していたチャンネルがあるかどうかを検索する。そして、視聴情報が見つかれば、選局制御部１０７は、チューナ１０１２を当該チャンネルに合わせる。例えば、視聴パターン検出部１１１に、現在の時刻から１週間前にユーザが視聴していたことを示す視聴情報が記憶されていない場合、現在の時刻から１週間前の時刻を基準として、その後の時刻に、ユーザが視聴したかどうかを検索する。そして、例えば、１週間前の時刻の１０分後に、チャンネルＢを視聴していたことが記憶されていれば、チューナ１０１２をチャンネルＢに合わせる。
【００２９】
以上のように、視聴パターン検出部１１１が、ユーザの過去の視聴パターンから、時間帯や曜日と視聴するチャンネルとの相関を検出し、選局制御部１０７が、番組開始時間に合わせて予測選局を行う。これによって、ユーザの目的のチャンネルに瞬時に切り替えることができる。
【００３０】
なお、現在の時刻の１週間前に視聴している番組が無かった場合に、予測の基準点を変更しても良い。例えば、１週間前に視聴している番組が無かった場合には、１日前に視聴している番組があるかどうかを検索する。そして、１日前にはチャンネルＢを視聴していたことが視聴パターン検出部１１１に記憶されていれば、チューナ１０１２を、チャンネルＢに合わせるようにしてもよい。
【００３１】
また、ユーザの過去の視聴情報として、視聴したチャンネル、視聴のために当該チャンネルに切り替えた時刻、及び、当該チャンネルの視聴を終了した時刻に加えて、番組情報を、記憶しておいてもよい。そして、放送されているデジタル放送のＳＩ情報と比較することにより、１週間前に視聴した番組と同シリーズの番組が放送されることを、検知できれば、さらによい。この場合、１週間前に視聴したチャンネルに、１週間前に視聴した番組と同様の番組が、放送されているかを判断することができる。その結果、１週間前に視聴したチャンネルで、現在放送している番組と１週間前に視聴した番組とが異なっていた場合は、予測の基準点を変更することを繰り返す。これによれば、ユーザが次に選局するであろうチャンネルを、より精度よく予測し、チューナ１０１２をユーザの目的のチャンネルに合わせることができ、ユーザが選局すれば、直ちに、そのチャンネルへ切り替えることができる。
【００３２】
また、本実施例では、予測の基準点を１週間の場合で説明したが、本発明はこれに限るものではなく、例えば、１ヶ月や１日などとしても良い。また、３つ以上の複数のチューナを備えて、予測の基準点の設定を異なるものにしても良い。この場合、例えば、図３において、チューナ１０１１を用いて視聴している場合、チューナ１０１２の予測の基準点と、チューナ１０１ｎの予測の基準点と、を異なる設定にしてもよい。例えば、チューナ１０１２の予測の基準点の設定を、１週間とし、チューナ１０１ｎの予測の基準点を、１日と設定することができる。この場合、現在の時刻から１週間前と１日前とで、異なるチャンネルを視聴していた場合には、１週間前に視聴していたチャンネルと１日前に視聴していたチャンネルとのいずれのチャンネルへの切り替えも、瞬時に行なうことができる。
【００３３】
（第４実施例）
図４は、本発明の第４実施例におけるデジタル放送受信装置の構成を示すブロック図である。図４において、図１と同じ構成については同じ符号を用い、その説明を省略する。本実施例では、予測選局動作設定部１１２と、予測選局動作設定検出部１１３と、を設けている。予測選局動作設定部１１２は、ユーザ・インターフェースなどの、ユーザが予測選局する動作の種別を設定する。予測選局動作設定検出部１１３は、予測選局動作設定部１１２で設定された予測選局動作の種別において予測された選局動作を検出する。以上のように構成されたデジタル放送受信装置において、選局予測動作設定検出部１１３が検出した予測された選局動作に基づいて予測選局処理を行うアルゴリズムについて、図４を参照して説明する。
【００３４】
ユーザが、チューナ１０１１経由でチャンネルＡを視聴していたとする。ここで、チャンネルＡはスポンサーの宣伝等を放送するコマーシャル放送時間となったため、チャンネルＢに切り替える場合で説明する。予測選局動作設定部１１２は、前に選局されたチャンネルを保持する前選局保持用のチューナの数と第３実施例に記載の予測選局をするためのチューナの数とを記憶している。本実施例では、前選局保持用のチューナの数が１つ、予測選局をするためのチューナの数を１つとして記憶した場合で説明する。
【００３５】
予測選局動作設定部１１２に記憶されている前選局保持用のチューナの数と、第３実施例に記載の予測選局をするためのチューナの数と、に基づいて、選局制御部１０７は、チューナを、前選局保持用のチューナと予測選局をするためのチューナとに振り分ける。例えば、本実施例ではチューナ１０１１で視聴しているときは、チューナ１０１２を前選局保持用のチューナとし、チューナ１０１ｎを予測選局をするためのチューナとする。
【００３６】
ここで、ユーザからのチャンネルＢへの選局要求がきたら、選局制御部１０７は、チューナ１０１２とＴＳ処理部１０３を制御し、ＳＩ／ＰＳＩ取得部１０５で取得されたＰＳＩ情報を参照して、映像音声出力制御部１０４を制御して選局動作を行う。一方、チューナ１０１１は、今の状態を保つ。一定時間が過ぎ、選局制御部１０７が、再びチャンネルＡへの選局要求を受けたときには、ＴＳ処理部１０３を制御することにより、チューナ１０１１からの信号を映像音声出力制御部１０４につなぎ、ＳＩ／ＰＳＩ取得部１０５で取得されたＰＳＩ情報を参照して、映像音声出力制御部１０４を制御する。こうすることにより、チャンネルＡおよびＢの２つのチャンネルを、いったりきたりする場合の選局時間を短縮することができる。
【００３７】
また、前選局保持用のチューナの個数は、任意に設定でき、前選局保持用のチューナの個数分だけ、前に選局されたチャンネルをキャッシュできる。さらに、予測選局動作設定部１１２は、ユーザの使用用途に合わせて、チューナの使い方をカスタマイズができるようにするものである。予測選局動作設定部１１２は、例えば、システム設定メニューなどで更新することが可能である。なお、必要な場合だけ、一部のチューナを前選局保持用のチューナとするための選局ポーズボタン（図示せず）を備え、そのボタンが押されたときだけ、チューナ１０１１乃至チューナ１０１ｎを、前選局保持用のチューナとして動作させてもよい。
【００３８】
その場合、データ放送の画面遷移状態なども保持できれば、さらによい。システム設定メニューなどでカスタマイズする項目としては、上記の例のように、前に選局したチャンネルをキャッシュする設定のほかに、例えば、よく見るお気に入りのチャンネルを常に予測選局処理して選局情報をキャッシュしておくように設定してもよい。これにより、そのチャンネルへの切り替えをスムーズに実現することもできる。
【００３９】
（第５実施例）
図５は、本発明の第５実施例におけるデジタル放送受信装置の構成を示すブロック図である。図５において、図１と同じ構成については同じ符号を用い、その説明を省略する。本実施例では、選局メニュー表示部１１４と、カーソル位置検出部１１５と、を設けている。選局メニュー表示部１１４は、選局用のメニューを表示する。カーソル位置検出部１１５は、選局メニュー表示部１１４の表示メニューにカーソルの移動によって選局されたカーソル位置を、検出する。以上のように構成されたデジタル放送受信装置において、カーソル位置検出部１１５が検出したカーソル位置に基づいて予測選局処理を行うアルゴリズムについて、図５を参照して説明する。
【００４０】
ユーザが、チューナ１０１１により、チャンネルＡを視聴していた場合で説明する。ここで、ユーザが、他のチャンネル情報が気になり、例えばＥＰＧボタン（図示せず）を押して、ＥＰＧ画面（図示せず）に遷移させたとする。ＥＰＧ画面には、例えば子画面でチャンネルＡが出画されている。ユーザが、カーソルをチャンネルＢの欄に移動させ、チャンネルＢの情報を参照しようとする。
【００４１】
そのとき、子画面でチャンネルＡが出画されている。一方、選局制御部１０７は、カーソル位置検出部１１５から、今のカーソル位置がチャンネルＢであるという情報を受け取る。そして、チューナ１０１２をチャンネルＢにあわせ、ＳＩ／ＰＳＩ取得部１０５、およびデータ・コンテンツ取得部１０６を連動させる。そこで、ユーザにより、チャンネルＢの欄で、決定キーが押されたら、ＴＳ処理部１０３を制御する。そして、チューナ１０１２からの信号を、映像音声出力制御部１０４につなぐ。ＳＩ／ＰＳＩ取得部１０５で取得されたＰＳＩ情報を参照して、映像音声出力制御部１０４を制御する。
【００４２】
以上により、ＥＰＧなどのメニュー系からの選局処理の操作性を向上させることができる。また、カーソル位置に連動させて選局処理をすることにより、そのチャンネルでしか流れていない特有のＳＩ情報などを取得して、画面上に反映させることもできる。選局メニュー表示部１１４は、画面メニューと連動した選局処理を有するアプリケーションを指し、ＥＰＧなどの他に、データ放送やサービス・リスト表示などでも同様である。
【００４３】
なお、実施例２〜５を任意に組み合わせたデジタル放送受信装置も、実施可能である。
【産業上の利用可能性】
【００４４】
以上のように、本発明は、複数のチューナを有するデジタル放送受信装置において、ユーザが次に選局するであろうチャンネルを予測し、選択されていないチューナを用いて、あらかじめ予測選局処理をしておくので、ユーザからの選局要求からチャンネル切り替えまでの時間を短くできるので、選局時の操作性の向上が図れるデジタル放送受信装置等に関して有用である。
【図面の簡単な説明】
【００４５】
【図１】本発明の第１実施例におけるデジタル放送受信装置の構成を示すブロック図
【図２】本発明の第２実施例におけるデジタル放送受信装置の構成を示すブロック図
【図３】本発明の第３実施例におけるデジタル放送受信装置の構成を示すブロック図
【図４】本発明の第４実施例におけるデジタル放送受信装置の構成を示すブロック図
【図５】本発明の第５実施例におけるデジタル放送受信装置の構成を示すブロック図
【符号の説明】
【００４６】
１０１1〜n    チューナ
１０３    ＴＳ処理部
１０４    映像音声出力制御部
１０５    ＳＩ／ＰＳＩ取得部
１０６    データ・コンテンツ取得部
１０７    選局制御部
１０８    デジタル放送受信装置
１０９    表示部
１１０    統計データ検出部
１１１    視聴パターン検出部
１１２    予測選局動作設定部
１１３    予測選局動作設定検出部
１１４    選局メニュー表示部
１１５    カーソル位置検出部
【手続補正３】
【補正対象書類名】図面
【補正対象項目名】全図
【補正方法】変更
【補正の内容】
【図１】
2006109477.tif 000007
【図２】
2006109477.tif 000008
【図３】
2006109477.tif 000009
【図４】
2006109477.tif 000010
【図５】
2006109477.tif 000011
【国際調査報告】
2006109477.tif 000012
2006109477.tif 000013
2006109477.tif 000014
2006109477.tif 000015